(57)【要約】【課題】製品を検索する場合に、製品の構成要素となる複数の使用部材とその使用数を指定して簡易に検索すること。【解決手段】本実施の形態に係る製品検索装置は、複数の製品と、各製品を構成する使用部材と、各使用部材の使用数を関連づけて登録したマスタと、複数の使用部材とその各使用数を指定する検索条件指定手段と、前記検索条件指定手段で指定された複数の使用部材及びその使用数に該当する製品を前記マスタから検索する検索手段と、を備えている。【選択図】図１
2019153245.tif 000002
【特許請求の範囲】
【請求項１】
複数の製品と、各製品を構成する使用部材と、各使用部材の使用数を関連づけて登録したマスタと、
複数の使用部材とその各使用数を指定する検索条件指定手段と、
前記検索条件指定手段で指定された複数の使用部材及びその使用数を含む製品を前記マスタから検索する検索手段と、
を備えたことを特徴とする製品検索装置。
【請求項２】
前記マスタは、
製品を識別するための製品コードと、当該製品の名称とを関連づけて登録した製品マスタと、
前記製品コードと、当該製品を構成する使用部材を識別するための使用部材コードと、
当該使用部材の名称を示す使用品名と、使用数とを関連づけて登録した製品構成マスタと、
を含むことを特徴とする請求項１に記載の製品検索装置。
【請求項３】
前記製品は、製薬であることを特徴とする請求項１又は２に記載の製品検索装置。
【請求項４】
制御部を備えた情報処理装置で実行される製品検索方法であって、
前記制御部で実行される、
複数の使用部材とその各使用数を指定する検索条件指定ステップと、
複数の製品と、各製品を構成する使用部材と、各使用部材の使用数を関連づけて登録したマスタから、前記検索条件指定ステップで指定された複数の使用部材及びその使用数を含む製品を検索する検索ステップと、
を含むことを特徴とする製品検索方法。
【請求項５】
制御部を備えた情報処理装置に実行させるための製品検索プログラムであって、
複数の使用部材とその各使用数を指定する検索条件指定ステップと、
複数の製品と、各製品を構成する使用部材と、各使用部材の使用数を関連づけて登録したマスタから、前記検索条件指定ステップで指定された複数の使用部材及びその使用数を含む製品を検索する検索ステップと、
を前記制御部に実行させるための製品検索プログラム。
【発明の詳細な説明】
【技術分野】
【０００１】
本発明は、製品検索装置、製品検索方法、及び製品検索プログラムに関する。
【背景技術】
【０００２】
従来、製品を検索する装置として、例えば、特許文献１がある。かかる特許文献１では、段落［００３１］に、「検索要求受信部２１０（処方情報入力部の一例）は、以下のような情報を入力する（処方情報入力処理）。検索要求受信部２１０は、処方された医薬品を識別する処方薬品識別子（後述する薬品コード）と、処方された医薬品の用量を示す処方薬品用量（後述する調剤数量）とを入力する。また、検索要求受信部２１０は、医療費の負担割合を表す負担割合値（後述する患者負担率）を入力する。例えば、検索要求受信部２１０は、処方箋データ（処方薬品識別子、処方薬品用量、負担割合値など）を含んだ検索要求データを受信する。」と記載され、段落［００３２］に、「薬局検索部２２０（処方薬品情報検索部の一例）は、以下のように処方薬品レコード（処方薬品情報の一例）を検索する（処方薬品情報検索処理）。薬局検索部２２０は、検索要求受信部２１０に入力された処方薬品識別子に基づいて、処方薬品識別子と一致する薬品識別子を含んだ医薬品マスタレコードを処方薬品レコードとして医薬品マスタ２９１から検索する。」と記載されている。
【先行技術文献】
【特許文献】
【０００３】
【特許文献１】特開２０１２−２０３４６６号公報
【発明の概要】
【発明が解決しようとする課題】
【０００４】
しかしながら、上記特許文献１では、製品の構成要素となる複数の使用部材とその使用数を指定して検索することに関して何等記載されていない。
【０００５】
本発明は、上記に鑑みてなされたものであって、製品を検索する場合に、製品の構成要素となる複数の使用部材とその使用数を指定して簡易に検索することが可能な製品検索装置、製品検索方法、及び製品検索プログラムを提供することを目的とする。
【課題を解決するための手段】
【０００６】
上述した課題を解決し、目的を達成するために、本発明は、複数の製品と、各製品を構成する使用部材と、各使用部材の使用数を関連づけて登録したマスタと、複数の使用部材とその各使用数を指定する検索条件指定手段と、前記検索条件指定手段で指定された複数の使用部材及びその使用数を含む製品を前記マスタから検索する検索手段と、を備えたことを特徴とする。
【０００７】
また、本実施の形態によれば、前記マスタは、製品を識別するための製品コードと、当該製品の名称とを関連づけて登録した製品マスタと、前記製品コードと、当該製品を構成する使用部材を識別するための使用部材コードと、当該使用部材の名称を示す使用品名と、使用数とを関連づけて登録した製品構成マスタと、を含むことが望ましい。
【０００８】
また、本実施の形態によれば、前記製品は、製薬であることが望ましい。
【０００９】
また、上述した課題を解決し、目的を達成するために、本発明は、制御部を備えた情報処理装置で実行される製品検索方法であって、前記制御部で実行される、複数の使用部材とその各使用数を指定する検索条件指定ステップと、複数の製品と、各製品を構成する使用部材と、各使用部材の使用数を関連づけて登録したマスタから、前記検索条件指定手段で指定された複数の使用部材及びその使用数を含む製品を検索する検索ステップと、を含むことを特徴とする。
【００１０】
また、上述した課題を解決し、目的を達成するために、本発明は、制御部を備えた情報処理装置に実行させるための製品検索プログラムであって、複数の使用部材とその各使用数を指定する検索条件指定ステップと、複数の製品と、各製品を構成する使用部材と、各使用部材の使用数を関連づけて登録したマスタから、前記検索条件指定手段で指定された複数の使用部材及びその使用数を含む製品を検索する検索ステップと、を前記制御部に実行させるための製品検索プログラムであることを特徴とする。
【発明の効果】
【００１１】
本発明によれば、製品を検索する場合に、製品の構成要素となる複数の使用部材とその使用数を指定して簡易に検索することが可能になるという効果を奏する。
【図面の簡単な説明】
【００１２】
【図１】図１は、本実施の形態に係る製品検索装置の構成の一例を示すブロック図である。
【図２】図２は、本実施の形態に係る製品検索装置の全体の処理手順の一例を説明するための図である。
【図３】図３は、製品マスタのデータ例を示す図である。
【図４】図４は、製品構成マスタのデータ例を示す図である。
【図５】図５は、図３及び図４の製品マスタ及び製品構成マスタのデータ例を纏めて各製品の使用部材とその使用量を示す図である。
【図６】図６は、製品検索の第１の例を説明するための図である。
【図７】図７は、製品検索の第２の例を説明するための図である。
【図８】図８は、検索画面の一例を説明するための図である。
【発明を実施するための形態】
【００１３】
以下に、本発明に係る製品検索装置、製品検索方法、及び製品検索プログラムの実施の形態を、図面に基づいて詳細に説明する。なお、本実施形態によりこの発明が限定されるものではない。
【００１４】
［１．概要］
従来、例えば、製造依頼を受けた場合に、過去に製造したある部材を使用している類似品を検索して見積を算出する場合、単一指定で該当部材を使用している製品の検索は可能であった。しかしながら、複数の対象部材を同時に使用している製品を洗い出す作業では、類似製品が多数あり使用部材は同じであるが、使用数が異なるものが多いため時間がかかっていた。
【００１５】
すなわち、従来、単一指定で該当部材を使用している製品の検索は可能であるが、使用数の指定を実行していないため、複数の対象部材を同時に使用し、かつ、使用数も同じ類似製品を洗い出す作業に時間がかかっていた。
【００１６】
そこで、本実施の形態では、一度に複数の部材を指定し、また、使用数まで入力可能として、該当の製品を一度で検索できる機能を実装することにより、作業効率のＵＰやリコール対象の製品割り出しを簡易に行うことができるようにした。
【００１７】
以下、具体的な構成および動作について説明する。以下の説明では、製品として「製薬」の場合を例示して説明するが、製品は、「製薬」に限られるものではなく、他の製品にも適用可能である。
【００１８】
［２．構成］
本実施形態に係る製品検索装置１００の構成について、図１を参照して説明する。図１は、製品検索装置１００の構成の一例を示すブロック図である。
【００１９】
製品検索装置１００は、市販のデスクトップ型パーソナルコンピュータである。なお、製品検索装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００２０】
製品検索装置１００は、図１に示すように、制御部１０２と通信インターフェース部１０４と記憶部１０６と入出力インターフェース部１０８と、を備えている。製品検索装置１００が備えている各部は、任意の通信路を介して通信可能に接続されている。
【００２１】
通信インターフェース部１０４は、ルータ等の通信装置および専用線等の有線または無線の通信回線を介して、製品検索装置１００をネットワーク３００に通信可能に接続する。通信インターフェース部１０４は、他の装置と通信回線を介してデータを通信する機能を有する。ここで、ネットワーク３００は、製品検索装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。  
【００２２】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。また、「出力」とは、出力装置１１４のモニタに表示することや出力装置１１４のプリンタで印刷することを含む。また、モニタ１１４に表示される情報に対して入力装置１１２等でユーザが操作等をすることを、「ＵＩを介したユーザ操作」と記載する場合がある。
【００２３】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。記憶部１０６は、製品マスタ１０６ａと、製品構成マスタ１０６ｂを格納する。
【００２４】
製品マスタ１０６ａは、製品を識別するための製品ＣＤ（コード）と、当該製品の名称とを関連づけて登録したテーブル等で構成することができる（図３参照）。
【００２５】
製品構成マスタ１０６ｂは、製品を構成する複数の使用部材とその各使用数を規定するためのマスタである。製品構成マスタ１０６ｂは、製品を識別するための製品ＣＤと、当該製品を構成する使用部材を識別するための使用部材ＣＤ（コード）と、当該使用部材の名称である使用品名と、使用数とを関連づけて登録したテーブル等で構成することができる（図４参照）。
【００２６】
なお、本明細書において、製品マスタ１０６ａと製品構成マスタ１０６ｂを、「マスタ」と総称する場合がある。
【００２７】
制御部１０２は、製品検索装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、モニタ１１２への検索画面やマスタメンテ画面等の各種画面の表示及びその更新、各種画面での入力装置１１２を介した入力の受付等を制御する。制御部１０２は、機能概念的に、検索条件指定部１０２ａと、検索部１０２ｂと、マスタメンテ部１０２ｃと、を備えている。
【００２８】
検索条件指定部１０２ａは、モニタ１１４に表示される検索画面上でのオペレータの操作に応じて、複数の使用部材とその各使用数を指定する。ここで、使用数は、各種単位を含むものであり、例えば、例えば、ｍｇ（ミリグラム）、ｇ（グラム）、ｍｌ（ミリリットル）、ｌ（リットル）、個数等を含むものである。
【００２９】
検索部１０２ｂは、検索条件指定部１０２ａで指定された複数の使用部材及びその使用数を含む製品をマスタから検索して、検査結果を検索画面に表示する。「使用数」については、使用数と同量の場合と、使用数以上の場合のいずれを検索してもよい。また、使用数と同量の製品を検索する場合と、使用数以上の製品を検索する場合とをオペレータの指示に応じて選択可能な構成としてもよい。
【００３０】
マスタメンテ部１０２ｃは、マスタメンテ画面上でのオペレータの操作に応じて、製品マスタ１０６ａ及び製品構成マスタ１０６ｂに対してデータの入力・追加・変更・更新等の編集（設定）を行う。
【００３１】
［３．処理の具体例］
図１〜図８を参照して、本実施の形態に係る製品検索装置１００の処理の具体例を説明する。図２は、本実施の形態に係る製品検索装置１００の全体の処理手順の一例を説明するための図である。図１及び図２を参照して、本実施の形態に係る製品検索装置１００の全体の処理手順の一例を説明する。
【００３２】
図２において、先ず、検索条件指定部１０２ａは、モニタ１１４に表示される検索画面上でのオペレータの操作に応じて、複数の使用部材とその各使用数を指定する（ステップＳ１）。
【００３３】
検索部１０２ｂは、検索条件指定部１０２ａで指定された複数の使用部材及びその使用数に該当する製品を製品構成マスタ１０６ｂから検索して、検索結果を検索画面に表示する（ステップＳ２）。より具体的には、検索部１０２は、製品構成マスタ１０６から該当する製品コードを検索し、製品マスタ１０６ａを参照して、検索した製品コードに対応する製品の名称を取得して、製品コードと製品の名称を検索画面に表示してもよい。
【００３４】
図１及び図３〜図８を参照して、本実施の形態に係る製品検索装置１００の処理の具体的なデータ例を説明する。図３は、製品マスタ１０６ａのデータ例を示す図である。図４は、製品構成マスタ１０６ｂのデータ例を示す図である。図５は、製品マスタ１０６ａ及び製品構成マスタ１０６ｂのデータ例を纏めて各製品の使用部材とその使用量を纏めた図であり、図５（Ａ）は製薬Ａ、図５（Ｂ）は製薬Ａ１、図５（Ｃ）は製薬Ｂ，図５（Ｄ）は製薬Ｃの使用部材とその使用量をそれぞれ示している。図６は、製品検索の第１の例を説明するための図である。図７は、製品検索の第２の例を説明するための図である。図８は、検索画面の一例を説明するための図である。
【００３５】
図３に示す製品マスタ１０６ａの例では、製品ＣＤ「０００１」、名称「製薬Ａ」と、製品ＣＤ「０００２」、名称「製薬Ａ１」と、製品ＣＤ「０００３」、名称「製薬Ｂ」と、製品ＣＤ「０００４」、名称「製薬Ｃ」と、・・・が登録されている。
【００３６】
図４に示す製品構成マスタ１０６ｂの例では、製品ＣＤ「０００１」の製薬Ａは、使用部材ＣＤ「１０００００１」の品名「成分Ａ」の使用数「９００ｍｇ」と、使用部材ＣＤ「１０００００２」の品名「ＡＢＣ酸塩」の使用数「７．５ｍｇ」と、使用部材ＣＤ「１０００００３」の品名「ＤＥＦ酸塩」の使用数「２４ｍｇ」と、使用部材ＣＤ「１０００００４」の品名「成分Ｂ」の使用数「７５ｍｇ」で構成されている。
【００３７】
また、製品ＣＤ「０００２」の製薬Ａ１は、使用部材ＣＤ「１０００００１」および品名「成分Ａ」の使用数「９５０ｍｇ」と、使用部材ＣＤ「１０００００２」の品名「ＡＢＣ酸塩」の使用数「７．５ｍｇ」と、使用部材ＣＤ「１０００００３」の品名「ＤＥＦ酸塩」の使用数「２４ｍｇ」と、使用部材ＣＤ「１０００００１０」の品名「ＧＨＩ乾燥エキス」の使用数「２４ｍｇ」で構成されている。
【００３８】
また、製品ＣＤ「０００３」の製薬Ｂは、使用部材ＣＤ「１０００００１」の品名「成分Ａ」の使用数「９００ｍｇ」と、使用部材ＣＤ「１０００００２」の品名「ＡＢＣ酸塩」の使用数「２１ｍｇ」と、使用部材ＣＤ「１０００００４」の品名「成分Ｂ」の使用数「７５ｍｇ」と、使用部材ＣＤ「１００００１１」の品名「成分Ｃ」の使用数「４５ｍｇ」で構成されている。
【００３９】
また、製品ＣＤ「０００４」の製薬Ｃは、使用部材ＣＤ「１０００００１」の品名「成分Ａ」の使用数「９００ｍｇ」と、使用部材ＣＤ「１０００００４」の品名「成分Ｂ」の使用数「１５０ｍｇ」と、使用部材ＣＤ「１００００１１」の品名「成分Ｃ」の使用数「４５ｍｇ」と、使用部材ＣＤ「１００００１０」の品名「ＧＨＩ乾燥エキス」の使用数「２４ｍｇ」で構成されている。
【００４０】
つぎに、図６及び図７を参照して、図３及び図４に示すように構成された製品マスタ１０６ａ及び製品構成マスタ１０６ｂに対して、製薬の検索を行う場合について説明する。
【００４１】
（１）検査画面で使用部材ＣＤの指定のみを行った場合は、当該使用部材ＣＤの使用部材を含む製薬が製品構成マスタ１０６ｂから検索される。
【００４２】
図６に示すように、例えば、検索画面で、使用部材ＣＤ「１０００００１」、「１０００００２」、「１０００００３」を指定した場合は、成分Ａ、ＡＢＣ酢酸、ＤＥＦ酢酸を構成に持つ製薬Ａ、製薬Ａ１が検索される。
【００４３】
検索順としては、まず、製品構成マスタ１０６ｂから使用部材ＣＤ「１０００００１（成分Ａ）」を含む製薬Ａ、製薬Ａ１，製薬Ｂ，製薬Ｃを抽出して表示し、次に、抽出したものから「１０００００２（ＡＢＣ酢酸）」を含む製薬Ａ、製薬Ａ１，製薬Ｂを抽出して表示し、さらに、抽出したものから「１０００００３（ＤＥＦ酢酸）」を含む製薬Ａ、製薬Ａ１を順に抽出して表示してもよい。
【００４４】
（２）検索画面で使用部材ＣＤと使用数の指定を行った場合は、指定された使用部材ＣＤの使用部材を指定された使用数を含む製薬が製品構成マスタ１０６ｂから検索される。
【００４５】
図７に示すように、例えば、使用部材ＣＤ「１０００００１（成分Ａ）」の使用数「９００ｍｇ」、「１０００００２（ＡＢＣ酢酸）」の使用数「７．５ｍｇ」、「１０００００３（ＤＥＦ酢酸）」の使用数「２４ｍｇ」を指定した場合は、使用部材ＣＤ「１０００００１（成分Ａ）」の使用数「９００ｍｇ」、「１０００００２（ＡＢＣ酢酸）」の使用数「７．５ｍｇ」、「１０００００３（ＤＥＦ酢酸）」の使用数「２４ｍｇ」を含む製薬Ａが検索される。
【００４６】
検索順としては、まず、製品構成マスタ１０６ｂから使用部材ＣＤ「１０００００１（成分Ａ）」使用数「９００ｍｇ」を含む製薬Ａ、製薬Ａ１，製薬Ｂ、製薬Ｃを抽出したものを表示し、次に、抽出したものから「１０００００２（ＡＢＣ酢酸）」の使用数「７．５ｍｇ」を含む製薬Ａ，製薬Ａ１を抽出して表示し、さらに、抽出したものから「１０００００３（ＤＥＦ酢酸）」の使用数「２４ｍｇ」を含む製薬Ａを順に抽出して表示してもよい。
【００４７】
図８は、検索画面の一例を示しており、検索画面４００は、検索条件を指定するエリア４０１と、検索結果を表示するエリア４０２と、検索の実行を指示する検索実行ボタン４０３と、エリア４０２に表示される製品の照会を行うための照会ボタン４０４と、照会された製品の情報を表示するためのエリア４０５とを備えている。オペレータは、エリア４０１で使用部材ＣＤ及び使用数を入力して、検索実行ボタン４０３を押すと、該当する製品が製品構成マスタ１０６ｂから検索されて、エリア４０２に検索結果が表示される。
【００４８】
以上説明したように、本実施の形態によれば、複数の製品と、各製品を構成する使用部材と、各使用部材の使用数を関連づけて登録したマスタと、複数の使用部材とその各使用数を指定する検索条件指定部１０２ａと、検索条件指定部１０２ａで指定された複数の使用部材及びその使用数に該当する製品をマスタから検索する検索部１０２ｂとを備えているので、製品を検索する場合に、製品の構成要素となる複数の使用部材とその使用数を指定して簡易に検索することができ、これにより、作業効率をＵＰさせることが可能となり、例えば、リコール対象の製品の割り出しも簡易に行うことが可能となる。
【００４９】
なお、「マスタ」を製品マスタ１０６ａ及び製品構成マスタ１０６ｂで構成しているが、図３及び図４に示す構成に限られるものではなく、統合や分割して構成してもよい。
【００５０】
［４．他の実施形態］
本発明は、上述した実施形態以外にも、特許請求の範囲に記載した技術的思想の範囲内において種々の異なる実施形態にて実施されてよいものである。  
【００５１】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００５２】
また、本明細書中や図面中で示した処理手順、制御手順、具体的名称、各処理の登録データや検索条件等のパラメータを含む情報、画面例、データベース構成については、特記する場合を除いて任意に変更することができる。
【００５３】
また、製品検索装置１００に関して、図示の各構成要素は機能概念的なものであり、必ずしも物理的に図示の如く構成されていることを要しない。  
【００５４】
例えば、製品検索装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて製品検索装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００５５】
また、このコンピュータプログラムは、製品検索装置１００に対して任意のネットワークを介して接続されたアプリケーションプログラムサーバに記憶されていてもよく、必要に応じてその全部または一部をダウンロードすることも可能である。  
【００５６】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００５７】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００５８】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００５９】
また、製品検索装置１００は、既知のパーソナルコンピュータまたはワークステーション等の情報処理装置として構成してもよく、また、任意の周辺装置が接続された当該情報処理装置として構成してもよい。また、製品検索装置１００は、当該装置に本実施形態で説明した処理を実現させるソフトウェア（プログラムまたはデータ等を含む）を実装することにより実現してもよい。  
【００６０】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。  
【符号の説明】
【００６１】
１００  製品検索装置
１０２  制御部
１０２ａ  検索条件指定部
１０２ｂ  検索部
１０２ｃ  マスタメンテ部
１０４  通信インターフェース部
１０６  記憶部
１０６ａ  製品マスタ
１０６ｂ  製品構成マスタ
１０８  入出力インターフェース部
１１２  入力装置
１１４  出力装置
２００  サーバ
３００  ネットワーク
【図１】
2019153245.tif 000003
【図２】
2019153245.tif 000004
【図３】
2019153245.tif 000005
【図４】
2019153245.tif 000006
【図５】
2019153245.tif 000007
【図６】
2019153245.tif 000008
【図７】
2019153245.tif 000009
【図８】
2019153245.tif 000010